(57)【特許請求の範囲】
【請求項１】
母親の手首に巻装される母側バンド部と、出生児の手首や足首に巻装される子側バンド部と、が切り離し自在に一体形成されてなる母子確認バンドの上記母側バンド部と子側バンド部の両端部を連結解除不能に連結する止着具を、合成樹脂材で形成された受具と圧入具とで構成し、該受具の断面略凹状に形成された受具本体の内壁に係止溝を形成すると共に、上記圧入具の弾片の外周部に、上記受具本体の係止溝と係合するフック状の係止突起を膨出形成したことを特徴とする母子確認バンドの止着具。
【発明の詳細な説明】
【０００１】
【産業上の利用分野】
この発明は、出生児の取り違えミスを防止するために用いられる母子確認バンドの止着具に関する。
【０００２】
【従来技術】
図５に示すように、出生児の取り違えミスを防止するために用いられる母子確認バンド１は、母親の手首に巻装される母側バンド部２と、出生児の手首や足首に巻装される子側バンド部３と、が薄肉部４で切り離しが可能に一体形成されており、母親が産婦人科に出生のために入院したときに、母側バンド部２と子側バンド部３とが連結された状態のままで、図６に示すように、母親の手首に巻装される。
【０００３】
この母側バンド部２と子側バンド部３には、同じ識別番号５，５が予め印刷されていると共に、母側バンド部２には母親の名前が記入される名前欄６が形成されており、また、子側バンド部３には、出生月日記入欄７と名前欄８が形成されている。
【０００４】
そして、子供が生まれた時に、分娩室で上記子側バンド部３の出生月日記入欄７と名前欄８（予め決められている場合）に所定事項を記入した後、上記母側バンド部２から子側バンド部３を切り離し、直ちに、この切り離された子側バンド部３を出生児の手首或は足首に巻装し、退院時に該母側バンド部２と子側バンド部３を夫々鋏で切断することで、出生児の取り違えミスを防止するように構成されている。
【０００５】
ところで、このような母子確認バンドの場合、母親および出生児の手首或は足首に巻装される母側バンド部２と子側バンド部３は、巻装後、簡単に取り外すことができるのでは、後発的な取り違えミスを招く虞れがあることから、該母側バンド部２と子側バンド部３の止着具は、巻装後に容易に連結解除できないように構成されていることが重要である。
【０００６】
このため、従来の上記止着具は、図７と図８に示すように、各バンド部の一端部に位置調節移動が可能に取り付けられた受具１０と、上記バンド部の他端部に固着される圧入具２０と、を金属材でプレス成形し、上記圧入具２０の係止片部２１を上記受具１０の切り起こし片部１１と係合させることで、連結後は両者を係止解除できないように構成しているのが現状である。
【０００７】
【従来技術の課題】
しかしながら、上記従来の止着具にあっては、受具１０と圧入具２０が金属材でプレス成形されて形成されているため、圧入具２０の係止片部２１を外周方向に突設させることが製造技術的に不可能であるため、結局、該係止片部２１の先端部を圧入具２０の内周方向に折曲形成する以外に方法がなく、その結果、該係止片部２１を係止する受具１０側の構成としては、断面逆凹状に形成された受具本体１２の平面部１３に、断面Ｌ字状切り起こし片部１１を少なくても２片切り起こし形成しなければならず、製造コストが非常に嵩む、という問題を有していた。
【０００８】
また、上記のように構成された従来の止着具にあっては、図８からも明らかなように、連結時に、圧入具２０の係止片部２１で上記受具１０の切り起こし片部１１を受具内側に後退させながら圧入しなければならないため、強力な圧入力が必要となり、連結操作が所謂硬くて、扱いにくい、という問題を有していた。
【０００９】
加えて、母子確認バンド１は、入院後、母親の手首に巻装されたままの状態で使用されるが、上記従来の止着具にあっては、金属材で形成されているため、肌触り感が冷たく、巻装感が非常に悪く不評であると共に、金属アレルギー体質の母親には用いることができないことから、これらの問題を改善した止着具の出現が強く要望されていた。
【００１０】
この発明は、かかる現状に鑑み創案されたものであって、その目的とするところは、従来の止着具よりも軽い操作力で受具と圧入具とを容易に連結することができ、連結後は容易に連結状態を解除できないことは勿論、構成が簡易で製造コストも大幅に低減することができると共に、巻装感も良好な母子確認バンドの止着具を提供しようとするものである。
【００１１】
【課題を解決するための手段】
上記目的を達成するために、この発明にあっては、母親の手首に巻装される母側バンド部と、出生児の手首や足首に巻装される子側バンド部と、が切り離し自在に一体形成されてなる母子確認バンドの上記母側バンド部と子側バンド部の両端部を連結解除不能に連結する止着具を、合成樹脂材で形成された受具と圧入具とで構成し、該受具の断面略凹状に形成された受具本体の内壁に係止溝を形成すると共に、上記圧入具の弾片の外周部に、上記受具本体の係止溝と係合するフック状の係止突起を膨出形成したことを特徴とするものである。
【００１２】
【実施例】
以下、添付図面に示す一実施例に基づき、この発明を詳細に説明する。尚、この実施例において、母子確認バンド自体の構成は、上記従来例の欄で説明した母子確認バンド１と同一であるため、図面には、図５と図６で用いた符号と同一の符号を付して、その詳細な説明をここでは省略する。
【００１３】
図１乃至図４に示すように、この実施例に係る母子確認バンド１の止着具は、各バンド部の一端部に位置調節移動が可能に取り付けられた受具３０と、上記バンド部の他端部に固着される圧入具４０と、で構成されており、これら各受具３０と圧入具４０とは、塩化ビニールやポリエチレンまたはポリカーボネイト等の公知の耐久性に優れた合成樹脂材で射出成形により形成されている。
【００１４】
受具３０は、断面略逆凹状に形成された受具本体３１と、この受具本体３１の平面部３２に開設された２条のバンド挿通孔３３，３３と、受具本体３１の周壁面３４に切り欠き形成されたバンド係止開口部３５，３５と、上記平面部３２からバンド係止開口部３５，３５の下方に向かって突設されたバンド止着突起３６と、上記周壁部３４の内壁側下端部に断面略レ字状に形成された係止溝３７と、から構成されている。
【００１５】
尚、この発明にあっては、上記バンド止着突起３６に代えて、上記バンド係止開口部３５，３５の上端部３５ａ，３５ａを下方に延ばし、この上端部３５ａ，３５ａでバンド部２，３の重合部を挟着して、バンドが緩まないように構成することもできる。
【００１６】
また、上記圧入具４０は、円板状の本体４１と、この本体４１の周縁部から上方に延設された４本の弾片４２と、この弾片４２の先端部外周方向に膨出形成された係止突起４３と、上記本体の中心部に突設された断面凹状の嵌合環部４４と、この嵌合環部４４に圧入される断面Ｔ字状の係止体４５と、から構成されており、上記各係止突起４３は、上記受具３０の係止溝３７と密に係合する形状に形成されている。
【００１７】
このように構成された止着具を母子確認バンド１の例えば子側バンド部３に固着する場合には、図１乃至図３に示すように、子側バンド部３の切断側端部側に開設された穴９に圧入具４０の嵌合環部４４を嵌め込み、断面Ｔ字状の係止体４５でこの嵌合状態を固定化する。勿論、この発明にあっては、図２に示すように、リング体の内側に爪片が複数個突設された係止体４５’でカシメ止めし、或は、接着剤で直接圧入具４０および上記受具３０をバンドの所定位置に固着してもよい。
【００１８】
一方、子側バンド部３の自由端部側は、上記受具本体３１の平面部３２に開設された２条のバンド挿通孔３３，３３に位置調節が可能なようにスライド自在に挿通される。
【００１９】
勿論、この受具３０と圧入具４０の子側バンド部３への取り付け位置は逆であっても構わない。また、母側バンド部２にも上記受具３０と圧入具４０は同様に取り付けられる。
【００２０】
この状態から、切断された子側バンド部３を出生児の手首或は足首に抜け落ちないように、受具３０を移動させて手首や足首の太さに合わせて調整して巻装した後、上記受具３０と圧入具４０とを連結する。
【００２１】
このとき、上記圧入具４０の各弾片４２は、各係止突起４３が上記受具３０の周壁部３２の内壁によって本体４１の内側方向へ押圧され、この後、弾性力によって復動して、各係止突起４３が上記受具３０の係止溝３７と密に係合し、引き離し方向（図３矢印方向）に力が作用しても、この係合状態が解除されないように連結される。
【００２２】
また、上記受具３０と圧入具４０とを連結したときには、子側バンド部３の切断側端部側に開設された穴９に圧入具４０の嵌合環部４４を嵌め込まれ、かつ、上記受具３０のバンド止着突起３６がバンド部に食い込んで係合するため、バンドの抜き方向に対する止着具の移動も確実に阻止され、バンドを緩めることによる取り外しができないように配慮されている。
【００２３】
それ故、この実施例に係る止着具にあっては、合成樹脂材で止着具の受具３０と圧入具４０を形成したので、圧入具４０の係止突起４３を弾片４２の外側に膨出形成することができ、その結果、受具３０の係止溝３７を周壁部３４の内側下端部に膨出形成することができるので、平面部３２に切り起こし片を形成するための切り欠きを形成したり、この切り起こし片を切り起こし折曲する工程を省略することができ、製造コストを大幅に簡略化できるため、廉価に提供できると共に、圧入具４０の受具３０への圧入圧力は、上記弾片４２の弾性力により緩衝されるので、軽い操作力で両者を連結することができ、しかも、受具３０と圧入具４０は合成樹脂材で形成されているため、金属アレルギー体質の人にも使用することができ、また、肌触り感が冷たくなく、違和感を感じない、という効果が得られる。
【００２４】
【発明の効果】
この発明に係る母子確認バンドの止着具は、以上説明したように構成されているので、従来の止着具よりも軽い操作力で受具と圧入具とを容易に連結することができ、連結後は容易に連結状態を解除できないことは勿論、構成が簡易で製造コストも大幅に低減することができると共に、止着具の受具と圧入具とを合成樹脂材で形成したため、肌触り感も冷たくなく、長期化に良好な巻装感を得ることができ、しかも、合成樹脂で形成されているため、金属アレルギー体質の母親にも装着することができる等、幾多の優れた効果を奏する。
【図面の簡単な説明】
【図１】この発明の一実施例に係る止着具の取り付け状態を示す斜視図である。
【図２】同止着具の受具と圧入具の連結前の状態を示す分解斜視図である。
【図３】同止着具の受具と圧入具とが連結された状態を示す説明図である。
【図４】（Ａ）（Ｂ）は、止着具の受具と圧入具の構成を角度を代えて見た状態の断面図である。
【図５】母子確認バンドの全体の構成を示す斜視図である。
【図６】同母子確認バンドを手首に巻装した状態を示す説明図である。
【図７】従来の止着具の分解斜視図である。
【図８】従来の止着具の受具と圧入具とが連結された状態を示す断面図である。
【符号の説明】
１  母子確認バンド
２  母側バンド部
３  子側バンド部
４  切断用薄肉部
３０  受具
３１  受具本体
３４  周壁部
３７  係止溝
４０  圧入具
４１  本体
４２  弾片
４３  係止突起
【図１】
0003549004.tif 000002
【図２】
0003549004.tif 000003
【図３】
0003549004.tif 000004
【図４】
0003549004.tif 000005
【図６】
0003549004.tif 000006
【図５】
0003549004.tif 000007
【図７】
0003549004.tif 000008
【図８】
0003549004.tif 000009